【手続補正書】
【提出日】平成20年8月29日(2008.8.29)
【手続補正１】
【補正対象書類名】明細書
【補正対象項目名】特許請求の範囲
【補正方法】変更
【補正の内容】
【特許請求の範囲】
【請求項１】  スクロール式機械であって、
外殻、
この外殻内に配置された第１のスクロール式圧縮機、
上記外殻内に配置された第２のスクロール式圧縮機、
これらの第１及び第２のスクロール式圧縮機間にまたがらせて配置され、該第１及び第２のスクロール式圧縮機に対し接続されている駆動軸、及び
上記第１及び第２のスクロール式圧縮機間で上記外殻内に配置され、上記駆動軸に対し該駆動軸を駆動するように接続してあるモータ、
を備えたスクロール式機械。
【請求項２】  前記モータが、
前記外殻に取付けられた固定子、及び
前記駆動軸に取付けられた回転子、
を備えている請求項１のスクロール式機械。
【請求項３】  前記第１のスクロール式圧縮機が、
第１の端板から突出する第１の螺旋翼を有する第１のスクロール部材、
第２の端板から突出する第２の螺旋翼を有する第２のスクロール部材であって、該第２の螺旋翼を上記第１の螺旋翼に対し、第２のスクロール部材が第１のスクロール部材に対し相対的に旋回するにつれて複数個の可動の流体ポケットが該両螺旋翼間に形成されるように噛合わせてある第２のスクロール部材、及び
前記外殻に取付けられ、前記駆動軸を回転可能に支持する第１の主軸受ハウジング、
を備えている請求項１のスクロール式機械。
【請求項４】  前記第２のスクロール式圧縮機が、
第３の端板から突出する第３の螺旋翼を有する第３のスクロール部材、
第４の端板から突出する第４の螺旋翼を有する第４のスクロール部材であって、該第４の螺旋翼を上記第３の螺旋翼に対し、第４のスクロール部材が第３のスクロール部材に対し相対的に旋回するにつれて複数個の可動の流体ポケットが該両螺旋翼間に形成されるように噛合わせてある第４のスクロール部材、及び
前記外殻に取付けられ、前記駆動軸を回転可能に支持する第２の主軸受ハウジング、
を備えている請求項３のスクロール式機械。
【請求項５】  前記モータと前記外殻との間に配置されたフレームを、備えている請求項２，３又は４のスクロール式機械。
【請求項６】  前記フレームを、前記第１の主軸受ハウジングと前記外殻との間に配置してある請求項５のスクロール式機械。
【請求項７】  前記フレームを、前記第１の主軸受ハウジングと前記外殻との間であって前記第２の主軸受ハウジングと前記外殻との間に配置してある請求項５のスクロール式機械。
【請求項８】  前記外殻が、
前記第１及び第２のスクロール式圧縮機に対し連通させてある吸入圧力チャンバ、
前記第１のスクロール式圧縮機に対し連通させてある第１の吐出圧力チャンバ、
前記第２のスクロール式圧縮機に対し連通させてある第２の吐出圧力チャンバ、
を形成するものである請求項１のスクロール式機械。
【請求項９】  前記第１及び第２のスクロール式圧縮機を、前記吸入圧力チャンバ内に配置してある請求項８のスクロール式機械。
【請求項１０】  前記第１のスクロール式圧縮機の容量を変更するための第１の容量調整機構を、設けてある請求項１のスクロール式機械。
【請求項１１】  前記第１の容量調整機構が、パルス幅調整装置を含むものである請求項１０のスクロール式機械。
【請求項１２】  前記第２のスクロール式圧縮機の容量を変更するための第２の容量調整機構を、設けてある請求項１０のスクロール式機械。
【請求項１３】  前記第１の容量調整機構が第１のパルス幅調整装置を含み、前記第２の容量調整機構が第２のパルス幅調整装置を含んでいる請求項１２のスクロール式機械。
【請求項１４】  前記モータを、可変速モータに構成してある請求項１のスクロール式機械。
【請求項１５】  第１の蒸気注入装置を前記第１のスクロール式圧縮機に組込むために、前記外殻を通して延設する第１の流体注入管接手をさらに備えている請求項１のスクロール式機械。
【請求項１６】  第２の蒸気注入装置を前記第２のスクロール式圧縮機に組込むために、前記外殻を通して延設する第２の流体注入管接手をさらに備える請求項１５記載のスクロール式機械。
【請求項１７】  前記駆動軸が第１の偏心クランクピンおよび第２の偏心クランクピンを備え、前記第１および第２のクランクピンは前記駆動軸の軸心から偏心させて配置したクランクピン軸心に定める請求項１のスクロール式機械。
【請求項１８】  前記外殻を通して延設し且つ前記吸入圧力域と連通する単一の吸入口をさらに備える請求項１記載のスクロール式機械。
【請求項１９】  第１の油ポンプおよび油溜まりをさらに備え、前記第１の油ポンプは前記油溜まりおよび前記第１のスクロール式圧縮機と連通する請求項１記載のスクロール式機械。
【請求項２０】  前記油溜まりおよび前記第２のスクロール式圧縮機と連通した第２の油ポンプをさらに備える請求項１９記載のスクロール式機械。
【請求項２１】  前記外殻は、ほぼ円筒形の殻と、前記ほぼ円筒形の殻の一端部に溶接された第１の端部キャップと、前記ほぼ円筒形の殻の他端部に溶接された第２の端部キャップからなる請求項１記載のスクロール式機械。
【請求項２２】  前記外殻はほぼ円筒形の殻を有し、且つ前記外殻の円筒形側壁に沿って配置した油溜まりをさらに備える請求項１記載のスクロール式機械。
【請求項２３】  スクロール式機械は、
吸入圧力域を定める外殻と、
前記外殻の前記吸入圧力域内に配置した第１のスクロール式圧縮機と
を備え、
前記第１のスクロール式圧縮機は、
第１の端板および該端板から突出する第１の螺旋翼を有する第１のスクロール部材と、
第２の端板および該端板から突出する第２の螺旋翼を有する第２のスクロール部材であって、前記第１および第２のスクロール部材が、互いに噛み合った前記第１および第２の螺旋翼によって位置決めされる第２のスクロール部材と、
前記外殻の吸入圧力域内に配置した第２のスクロール式圧縮機と
を備え、
前記第２のスクロール式圧縮機は、
第３の端板および該端板から突出する第３の螺旋翼を有する第３のスクロール部材と、
第４の端板および該端板から突出する第４の螺旋翼を有する第４のスクロール部材であって、前記第３および第４のスクロール部材が、互いに噛み合った前記第３および第４の螺旋翼によって位置決めされる第４のスクロール部材と、
前記第１および第３のスクロール部材間に延設し且つ両スクロール部材のおのおのに接続された駆動軸であって、前記吸入圧力域内に配置した圧縮流体用の前記第１および第２のスクロール式圧縮機を駆動操作可能である駆動軸と、
前記第１および第２のスクロール部材の密封表面が第１の流体ポケットを隔離して閉じる密封関係にある第１の関係と、前記第１および第２のスクロール部材の前記密封表面の少なくとも一方が前記第１の流体ポケット間に第１の漏れ通路を形成するように間隔が置かれる第２の関係との間で移動可能である前記第２のスクロール部材と、
前記第２のスクロール部材に固着された第１の流体操作ピストンであって、前記第１のスクロール式圧縮機が実質的に全容量で作動する前記第１の関係と、前記第１のスクロール式圧縮機が実質的にゼロ容量で作動する前記第２の関係との間で前記第２のスクロール部材を移動させるために、前記第２のスクロール部材に駆動力を付与するように作動可能である第１の流体操作ピストンと
を備えるスクロール式機械。
【請求項２４】  前記第１の流体操作ピストンが、前記第１のスクロール式圧縮機の容量を調整するための時間パルス方式で作動される請求項２３記載のスクロール式機械。
【請求項２５】  前記駆動力を前記第１の流体操作ピストンに付与するように作動する流体圧力チャンバをさらに備える請求項２３記載のスクロール式機械。
【請求項２６】  前記駆動力が軸方向に作用する請求項２５記載のスクロール式機械。
【請求項２７】  加圧流体を前記第１のスクロール式圧縮機から前記圧力チャンバに供給するための第１の通路をさらに備える請求項２６記載のスクロール式機械。
【請求項２８】  前記第１の通路を通る流れを制御するためのバルブをさらに備え、前記バルブは、前記加圧流体を前記圧力チャンバから排出するように作動し、それによって前記第２のスクロール部材を前記第１と第２の関係間で移動させることができる請求項２７記載のスクロール式機械。
【請求項２９】  前記バルブがソレノイド操作弁である請求項２８記載のスクロール式機械。
【請求項３０】  前記ソレノイド操作弁がパルス幅調整モードで作動される請求項２９記載のスクロール式機械。
【請求項３１】  前記加圧流体を前記圧力チャンバから排出するための第２の通路をさらに備える請求項３０記載のスクロール式機械。
【請求項３２】  前記第４のスクロール部材が、前記第３および第４のスクロール部材の密封表面が第２の流体ポケットを隔離して閉じる密封関係にある第１の関係と、前記第３および第４のスクロール部材の前記密封表面の少なくとも一方が前記第２の流体ポケット間に第２の漏れ通路を形成するように間隔が置かれる第２の関係との間で移動可能であり、
前記スクロール式機械は、
前記第４のスクロール部材に固着された第２の流体操作ピストンであって、前記第２のスクロール式圧縮機が実質的に全容量で作動する前記第１の関係と、前記第２のスクロール式圧縮機が実質的にゼロ容量で作動する前記第２の関係との間で前記第４のスクロール部材を移動させるために、前記第４のスクロール部材に駆動力を付与するように作動可能である第２の流体操作ピストンをさらに備える請求項３１記載のスクロール式機械。
【請求項３３】  第１の蒸気注入装置を前記第１のスクロール式圧縮機に組み込むために前記外殻を通して延設する第１の流体注入管継手と、
第２の蒸気注入装置を前記第２のスクロール式圧縮機に組み込むために前記外殻を通して延設する第２の流体注入管継手と
をさらに備える請求項３２記載のスクロール式機械。
【請求項３４】  前記外殻はほぼ円筒形の殻を有し、且つ前記外殻の円筒形側壁に沿って配置した油溜まりをさらに備える請求項２３記載のスクロール式機械。
【請求項３５】  吸入圧力域を定める外殻と、
前記外殻の前記吸入圧力域内に配置された第１のスクロール式圧縮機であって、前記第１のスクロール式圧縮機は第１の旋回スクロール部材と噛み合った第１の非旋回スクロール部材を有し、前記第１の旋回スクロール部材が前記外殻内で放射方向の運動を得るように設置された第１のスクロール式圧縮機と、
前記外殻の前記吸入圧力域内に配置された第２のスクロール式圧縮機であって、前記第２のスクロール式圧縮機は第２の旋回スクロール部材と噛み合った第２の非旋回スクロール部材を有し、前記第２の旋回スクロール部材が前記外殻内で放射方向の運動を得るために設置された第２のスクロール式圧縮機と、
前記第１および第２の旋回スクロール部材間に延設し且つ両旋回スクロール部材のおのおのに接続された駆動軸であって、前記吸入圧力域内に配置した圧縮流体用の前記第１および第２のスクロール式圧縮機を駆動操作可能である駆動軸と、
前記第１および第２のスクロール式圧縮機間の前記吸入圧力域内に配置され、前記駆動軸に対して駆動可能に接続されるモータと
を備えるスクロール式機械。
【請求項３６】  前記吸入圧力域内に配置された据え付けフレームをさらに備え、前記モータが前記据え付けフレームに取り付けられ且つ前記駆動軸に対して駆動可能に接続される請求項３５記載のスクロール式機械。
【請求項３７】  前記モータは、
据え付けフレームに取り付けた固定子と、
前記駆動軸に取り付けた回転子と
からなる請求項３６記載のスクロール式機械。
【請求項３８】  前記据え付けフレームに取り付けた第１の主軸受ハウジングをさらに備え、前記第１の主軸受ハウジングは前記駆動軸を回転可能に支持する請求項３６記載のスクロール式機械。
【請求項３９】  前記据え付けフレームは、前記第１の主軸受ハウジングと前記外殻との間に配置される請求項３８記載のスクロール式機械。
【請求項４０】  前記据え付けフレームに取り付けた第２の主軸受ハウジングをさらに備え、前記第２の主軸受ハウジングは前記駆動軸を回転可能に支持する請求項３８記載のスクロール式機械。
【請求項４１】  前記据え付けフレームは、前記第１の主軸受ハウジングと前記外殻との間に配置され、さらに前記第２の主軸受ハウジングと前記外殻との間に配置される請求項４０記載のスクロール式機械。
【請求項４２】  前記外殻は、前記第１のスクロール式圧縮機と連通した第１の吐出圧力チャンバと、前記第２のスクロール式圧縮機と連通した第２の吐出チャンバとを定める請求項３５記載のスクロール式機械。
【請求項４３】  前記第１および第２のスクロール式圧縮機は前記吸入圧力チャンバ内に配置される請求項４２記載のスクロール式機械。
【請求項４４】  前記第１のスクロール式圧縮機の容量を変更するための第１の容量調整機構をさらに備える請求項３５記載のスクロール式機械。
【請求項４５】  前記第１の容量調整機構がパルス幅調整装置を有する請求項４４記載のスクロール式機械。
【請求項４６】  前記第２のスクロール式圧縮機の容量を変更するための第２の容量調整機構をさらに備える請求項４４記載のスクロール式機械。
【請求項４７】  前記第１の容量調整機構が第１のパルス幅調整装置を有し、且つ前記第２の容量調整機構が第２のパルス幅調整装置を有する請求項４６記載のスクロール式機械。
【請求項４８】  前記モータは可変速度モータである請求項３５記載のスクロール式機械。
【請求項４９】  第１の蒸気注入装置を前記第１のスクロール式圧縮機に組み込むために前記外殻を通して延設する第１の流体注入管継手をさらに備える請求項３５記載のスクロール式機械。
【請求項５０】  第２の蒸気注入装置を前記第２のスクロール式圧縮機に組み込むために前記外殻を通して延設する第２の流体注入管継手をさらに備える請求項４９記載のスクロール式機械。
【請求項５１】  前記第１のスクロール式圧縮機の容量を変更するための第１の容量調整機構をさらに備える請求項５０記載のスクロール式機械。
【請求項５２】  前記第１の容量調整機構がパルス幅調整装置を有する請求項５１記載のスクロール式機械。
【請求項５３】  前記第２のスクロール式圧縮機の容量を変更するための第２の容量調整機構をさらに備える請求項５１記載のスクロール式機械。
【請求項５４】  前記第１の容量調整機構が第１のパルス幅調整装置を有し、且つ前記第２の容量調整機構が第２のパルス幅調整装置を有する請求項５３記載のスクロール式機械。
【請求項５５】  前記第１のスクロール式圧縮機の容量を変更するための第１の容量調整機構をさらに備える請求項４９記載のスクロール式機械。
【請求項５６】  前記第１の容量調整機構がパルス幅調整装置を有する請求項５５記載のスクロール式機械。
【請求項５７】  前記第２のスクロール式圧縮機の容量を変更するための第２の容量調整機構をさらに備える請求項５５記載のスクロール式機械。
【請求項５８】  前記第１の容量調整機構が第１のパルス幅調整装置を有し、且つ前記第２の容量調整機構が第２のパルス幅調整装置を有する請求項５７記載のスクロール式機械。
【請求項５９】  前記駆動軸は、第１の偏心クランクピンおよび第２の偏心クランクピンを有し、前記第１および第２のクランクピンは前記駆動軸の軸心から偏心させて配置したクランクピン軸心に定める請求項３５記載のスクロール式機械。
【請求項６０】  前記外殻を通して延設する単一の吸入口をさらに備え、前記単一の吸入口は前記吸入圧力域と連通している請求項３５記載のスクロール式機械。
【請求項６１】  油溜まりと、前記油溜まりおよび前記第１のスクロール式圧縮機と連通した第１の油ポンプとをさらに備える請求項３５記載のスクロール式機械。
【請求項６２】  前記油溜まりおよび前記第２のスクロール式圧縮機と連通した第２の油ポンプをさらに備える請求項６１記載のスクロール式機械。
【請求項６３】  前記外殻は、ほぼ円筒形の殻と、前記ほぼ円筒形の殻の一端部に溶接された第１の端部キャップと、前記ほぼ円筒形の殻の他端部に溶接された第２の端部キャップとからなる請求項３５記載のスクロール式機械。
【請求項６４】  前記外殻はほぼ円筒形の殻を有し、且つ前記外殻の円筒形側壁に沿って配置した油溜まりをさらに備える請求項３５記載のスクロール式機械。
【請求項６５】  前記モータと前記外殻との間に配置したフレームをさらに備える請求項１記載のスクロール式機械。
【請求項６６】  前記外殻と前記フレームとの間に配置した油溜まりをさらに備える請求項６５記載のスクロール式機械。
【請求項６７】  前記外殻内に配置したフレームをさらに備える請求項２３記載のスクロール式機械。
【請求項６８】  前記フレームと前記外殻との間に配置した油溜まりをさらに備える請求項６７記載のスクロール式機械。
【請求項６９】  前記モータと前記外殻との間に配置したフレームをさらに備える請求項３５記載のスクロール式機械。
【請求項７０】  前記外殻と前記フレームとの間に配置した油溜まりをさらに備える請求項６９記載のスクロール式機械。